(57)【要約】      （修正有）【課題】片手で折り畳みまたは展開ができ、操作過程での安全性が高い連結部材を提供する。【解決手段】連結部材は、第１柄部１００と、第２柄部２００と、操作部３００と、連結部４００と、第１ロッド５００を含み、第１柄部が第１端と第２端を含み、第１端が第１孔を備え、第２柄部が第１端と第２端を含み、第１端が第１孔を備え、操作部が第１部分を含み、第１部分が第１区域と、第１区域より低い第２区域を備え、第１区域が孔を有し、連結部が第１区域の孔、第１柄部の第１孔、第２柄部の第１孔に穿通され、第１ロッドが操作部の第２区域に連接される。使用者は片手で第１ロッドを上に持ち上げるか、下に押し下げることで、連結部材を操作して折り畳みまたは展開させることができ、同時に、操作過程で手を挟むリスクを減少し、安全性と利便性が高められる。【選択図】図１
0003220862.tif 000002
【実用新案登録請求の範囲】
【請求項１】
第１柄部と、第２柄部と、操作部と、連結部と、第１ロッドとを含む連結部材であって、
該第１柄部が、第１端と第２端を含み、該第１端が第１孔を備え、
該第２柄部が、第１端と第２端を含み、該第１端が第１孔を備え、
該操作部が、第１部分を含み、該第１部分が、第１区域と、該第１区域より低い第２区域を備え、該第１区域が孔を有し、
該連結部が、該第１区域の孔と、該第１柄部の該第１孔と、該第２柄部の該第１孔に穿通され、
該第１ロッドが、該操作部の該第２区域に連接される、
ことを特徴とする、連結部材。
【請求項２】
前記第１ロッドが本体と、該本体の径方向に沿って外側に向かって延伸された複数の縦方向リブを備えていることを特徴とする、請求項１に記載の連結部材。
【請求項３】
前記第２区域が第１筒部を備え、該第１筒部と該第１ロッドの第１端が連接されることを特徴とする、請求項１に記載の連結部材。
【請求項４】
前記第１筒部が管部と、該管部の一端に設けられた底部を備え、該管部が該第１ロッドの該第１端に被着され、該底部と該第２区域が連接されることを特徴とする、請求項３に記載の連結部材。
【請求項５】
前記連結部材を展開させると、該第１筒部の位置が該第１柄部の第２端より低く、該連結部材を折り畳むと、該第１筒部の位置が該第１柄部の第２端より高いことを特徴とする、請求項３に記載の連結部材。
【請求項６】
前記操作部が、該第１部分に連接された該第２部分を備え、該第２部分と該第１部分の挟角が１８０度より小さいことを特徴とする、請求項１に記載の連結部材。
【請求項７】
前記第１ロッドの延伸方向が該操作部の該第２部分と相反することを特徴とする、請求項６に記載の連結部材。
【請求項８】
前記第２部分が、該第２部分の一表面から遠ざかって延伸された２つの凸部を含み、該連結部材を展開させるとき、該第１柄部と該第２柄部が該連結部の周囲を旋回して、該２つの凸部に接触すると旋回が停止し、該連結部材を折り畳むとき、該第１柄部と該第２柄部が該連結部の周囲を旋回して、該２つの凸部に接触すると旋回が停止することを特徴とする、請求項６に記載の連結部材。
【請求項９】
さらに前記操作部の該第２区域に連接された第２ロッドを含むことを特徴とする、請求項１に記載の連結部材。
【請求項１０】
さらに前記第１ロッドと該第２ロッドの外側に被着されたカバーケースを含むことを特徴とする、請求項９に記載の連結部材。
【請求項１１】
前記カバーケースが内部に該第１ロッドと該第２ロッドの間に配置された仕切り板を備えていることを特徴とする、請求項１０に記載の連結部材。
【請求項１２】
前記第２区域が第２筒部を備え、そのうち、該第２筒部と該第２ロッドの第１端が連接されることを特徴とする、請求項９に記載の連結部材。
【請求項１３】
前記第２筒部が管部と、該管部の一端に設けられた底部を備え、該管部が該第２ロッドの該第１端に被着され、該底部と該第２区域が連接されることを特徴とする、請求項１２に記載の連結部材。
【請求項１４】
折り畳み構造体であって、第１側と、第２側と、請求項１に記載の連結部材を含み、そのうち、該第１柄部の第２端と該折り畳み構造体の第１側が相互に連接され、該第２柄部の第２端と該折り畳み構造体の第２側が相互に連接されることを特徴とする、折り畳み構造体。
【請求項１５】
さらに請求項１に記載の連結部材を含み、そのうち、該第１柄部の第２端と該折り畳み構造体の第２側が相互に連接され、該第２柄部の第２端と該折り畳み構造体の第１側が相互に連接され、該第１ロッドが２つの該連結部材の間に配置されるとを特徴とする、請求項１４に記載の折り畳み構造体。
【請求項１６】
第１柄部と、第２柄部と、操作部と、第１筒部と、連結部と、第１ロッドとを含む連結部材であって、
該第１柄部が、第１端と第２端を含み、該第１端が第１孔を備え、
該第２柄部が、第１端と第２端を含み、該第１端が第１孔を備え、
該操作部が第１部分を含み、該第１部分が孔を備え、
該第１筒部が管部と、該管部の一端に設けられた底部を備え、該筒部と該第１部分が連接され、
該連結部が、該第１部分の孔と、該第１柄部の該第１孔と、該第２柄部の該第１孔に穿通され、
該第１ロッドの該第１端に該管部が被着され、該連結部と該第１ロッドの間に該第１筒部の径方向に沿って間隔がある、
ことを特徴とする、連結部材。
【請求項１７】
折り畳み構造体であって、
第１側と、
第２側と、
第３側と、
請求項１６に記載の連結部材と
を含み、そのうち、該第３側の第１端と該第１側が連接され、該第３側の第２端と該第２側が連接され、該連結部材の該第１柄部の第２端と該折り畳み構造体の第１側が相互に連接され、該第２柄部の第２端と該折り畳み構造体の第３側が相互に連接されることを特徴とする、折り畳み構造体。
【請求項１８】
さらに、請求項１６に記載の連結部材を含み、そのうち、該第１柄部の第２端と該折り畳み構造体の第３側が相互に連接され、該第２柄部の第２端と該折り畳み構造体の第１側が相互に連接されることを特徴とする、請求項１７に記載の折り畳み構造体。
【請求項１９】
折り畳み構造体であって、
第１側と、
第２側と、
請求項１６に記載の連結部材と
を含み、そのうち、該第１柄部の第２端と該折り畳み構造体の第１側が相互に連接され、該第２柄部の第２端と該折り畳み構造体の第２側が相互に連接されることを特徴とする、折り畳み構造体。
【考案の詳細な説明】
【技術分野】
【０００１】
本考案は連結部材に関し、特に、折り畳み可能な連結部材に関する。
【背景技術】
【０００２】
従来の折り畳み可能な連結部材を使用するとき、使用者は手で直接連結部材の柄部または屈曲部に接触して折り畳みと展開を制御する必要があり、特に対を成して設置された連結部材は、同期せずに干渉し合うことがないように、同時に両手を使用して制御する必要があり、操作上不便であると同時に、連結部材の折り畳みまたは展開の過程で、往々にして使用者の手が柄部の旋回範囲内に位置するため、使用者の手が連結部材に挟まれて怪我をしやすい。このため、折り畳み可能な連結部材を改良し、上述の問題を解決する必要がある。
【考案の概要】
【考案が解決しようとする課題】
【０００３】
本考案の目的は、上述の問題を解決することができる、連結部材を提供することにある。
【課題を解決するための手段】
【０００４】
本考案の一実施例において、連結部材は、第１柄部と、第２柄部と、操作部と、連結部と、第１ロッドを含み、該第１柄部が第１端と第２端を含み、該第１端が第１孔を備え、該第２柄部が第１端と第２端を含み、該第１端が第１孔を備え、該操作部が第１部分を含み、該第１部分が第１区域と、該第１区域より低い第２区域を備え、該第１区域が孔を備え、該連結部が該第１区域の孔、該第１柄部の該第１孔、該第２柄部の該第１孔に穿通され、該第１ロッドが該操作部の該第２区域に連接される。
【０００５】
本考案の一実施例において、該第１ロッドは本体と、該本体の径方向に沿って外側に向かって延伸された複数の縦方向リブを備えている。
【０００６】
本考案の一実施例において、該第２区域は第１筒部を備え、該第１筒部と該第１ロッドの第１端が連接され、該第１筒部が管部と、該管部の一端に設けられた底部を備え、該管部が該第１ロッドの該第１端に被着され、該底部と該第２区域が連接される。
【０００７】
本考案の一実施例において、該連結部材を展開させると、該第１筒部の位置が該第１柄部の第２端より低く、該連結部材を折り畳むと、該第１筒部の位置が該第１柄部の第２端より高い。
【０００８】
本考案の一実施例において、該操作部が該第１部分に連接された該第２部分を備え、該第２部分と該第１部分の挟角が１８０度より小さい。
【０００９】
本考案の一実施例において、該第１ロッドの延伸方向が該操作部の該第２部分と相反する。
【００１０】
本考案の一実施例において、該第２部分が、該第２部分の一表面から遠ざかって延伸された２つの凸部を含み、該連結部材を展開させるとき、該第１柄部と該第２柄部が該連結部の周囲を旋回して、該２つの凸部に接触すると旋回が停止し、該連結部材を折り畳むとき、該第１柄部と該第２柄部が該連結部の周囲を旋回して、該２つの凸部に接触すると旋回が停止する。
【００１１】
本考案の一実施例において、該連結部材はさらに、該操作部の該第２区域に連接された第２ロッドを含む。
【００１２】
本考案の一実施例において、該第２ロッドは本体と、該本体から径方向に沿って外側に向かって延伸された複数の縦方向リブを備えている。
【００１３】
本考案の一実施例において、該連結部材はさらに、該第１ロッドと該第２ロッドの外側に被着されたカバーケースを含む。
【００１４】
本考案の一実施例において、該カバーケースが内部に該第１ロッドと該第２ロッドの間に配置された仕切り板を備えている。
【００１５】
本考案の一実施例において、該第２区域は第２筒部を備え、そのうち、該第２筒部と該第２ロッドの第１端が連接され、該第２筒部が管部と、該管部の一端に設けられた底部を備え、該管部が該第２ロッドの該第１端に被着され、該底部と該第２区域が連接される。
【００１６】
本考案の一実施例において、折り畳み構造体は、第１側と、第２側と、前述の連結部材を含み、そのうち、該第１柄部の第２端と該折り畳み構造体の第１側が相互に連接され、該第２柄部の第２端と該折り畳み構造体の第２側が相互に連接される。これにより、該連結部材を該折り畳み構造体の第１側及び第２側上に固定し、該折り畳み構造体の展開と折り畳みを制御する。
【００１７】
本考案の一実施例において、該折り畳み構造体はさらに、前述の連結部材を含み、そのうち、該第１柄部の第２端と該折り畳み構造体の第２側が相互に連接され、該第２柄部の第２端と該折り畳み構造体の第１側が相互に連接され、該第１ロッドが２つの該連結部材の間に配置される。
【００１８】
本考案の一実施例において、連結部材は、第１柄部と、第２柄部と、操作部と、第１筒部と、連結部と、第１ロッドを含み、該第１柄部が第１端と第２端を含み、該第１端が第１孔を備え、該第２柄部が第１端と第２端を含み、該第１端が第１孔を備え、該操作部が第１部分を含み、該第１部分が孔を備え、第１筒部が管部と、該管部の一端に設けられた底部を備え、該筒部と該第１部分が連接され、該連結部が該第１部分の孔、該第１柄部の該第１孔、該第２柄部の該第１孔に穿通され、該管部が該第１ロッドの第１端に被着され、該連結部と該第１ロッドの間に該第１筒部の径方向に沿って間隔がある。
【００１９】
本考案の一実施例において、折り畳み構造体は、第１側と、第２側と、第３側と、前述の連結部材を含み、そのうち、該第３側の第１端が該第１側に連接され、該第３側の第２端が該第２側に連接され、該第１柄部の第２端と該折り畳み構造体の第１側が相互に連接され、該第２柄部の第２端と該折り畳み構造体の第３側が相互に連接される。
【００２０】
本考案の一実施例において、折り畳み構造体は、前述の連結部材を含み、そのうち、該第１柄部の第２端と該折り畳み構造体の第３側が相互に連接され、該第２柄部の第２端と該折り畳み構造体の第１側が相互に連接される。
【００２１】
本考案の一実施例において、折り畳み構造体は、第１側と、第２側と、前述の連結部材を含み、そのうち、該第１柄部の第２端と該折り畳み構造体の第１側が相互に連接され、該第２柄部の第２端と該折り畳み構造体の第２側が相互に連接される。
【００２２】
以上、本考案の技術的特徴と利点について概説したが、さらに理解を深められるように、以下で本考案について詳細に説明する。本考案の請求の範囲が標的とするその他の技術的特徴と利点についても以下で説明する。本考案が属する技術分野において通常の知識を有する者であれば、以下に開示する概念と特定の実施例を利用して容易に変更を加える、またはその他の構造或いはプロセスを設計して、本考案と同じ目的を実現することができるであろう。また、本考案が属する技術分野において通常の知識を有する者であれば、これらの同等効果の構成も添付の実用新案登録請求の範囲に定義される本考案の要旨と範囲を逸脱しないことが理解されるであろう。
【図面の簡単な説明】
【００２３】
【図１】本考案の一実施例の連結部材の展開状態の立体図である。
【図１ａ】図１の連結部材の正面図である。
【図２】図１の連結部材の折り畳み状態の立体図である。
【図２ａ】図２の連結部材の正面図である。
【図３】図１の連結部材の立体分解図である。
【図４】図１の操作部の立体図である。
【図４ａ】図４の操作部の側面図である。
【図５】図１の第１ロッドの立体図である。
【図５ａ】図５の第１ロッドの正面図である。
【図６】図１のカバーを底面から見た立体図である。
【図７】本考案の一実施例の連結部材の展開状態の立体図である。
【図８】図７の連結部材の立体分解図である。
【図９】図７の操作部の立体図である。
【図１０】本考案の一実施例の折り畳み構造体の展開状態の立体図である。
【図１１】図１０の折り畳み構造体の折り畳み状態の側面図である。
【図１２】本考案の一実施例の折り畳み構造体の展開状態の立体図である。
【図１３】本考案の一実施例の折り畳み構造体の展開状態の立体図である。
【図１３ａ】図１３の部分拡大図である。
【図１４】本考案の一実施例の折り畳み構造体の展開状態の立体図である。
【図１５】本考案の一実施例の折り畳み構造体の展開状態の立体図である。
【図１６】本考案の一実施例の連結部材の展開状態の立体図である。
【図１７】図１６の連結部材の立体分解図である。
【図１８】図１６の操作部の立体図である。
【図１９】図１６の第１筒部の正面図である。
【図２０】本考案の一実施例の折り畳み構造体の展開状態の立体図である。
【図２１】本考案の一実施例の連結部材の展開状態の立体図である。
【図２２】図２１の折り畳み構造体の展開状態の側面図である。
【図２３】本考案の一実施例の折り畳み構造体の折り畳み状態の立体図である。
【考案を実施するための形態】
【００２４】
図１は本考案の一実施例の連結部材１０の展開状態の立体図である。図１ａは図１の連結部材１０の正面図である。図２は図１の連結部材１０の折り畳み状態の立体図である。図２ａは図２の連結部材１０の正面図である。図３は図１の連結部材１０の立体分解図である。
【００２５】
図１から図３に示すように、本考案の一実施例の連結部材１０は、第１柄部１００と、第２柄部２００と、操作部３００と、連結部４００と、第１ロッド５００と、カバー６００を含む。
【００２６】
該第１柄部１００は、第１端１１０と、第２端１３０を含む。該第１端１１０は第１部分１１２と、第２部分１１４と、第１孔１１６を備え、そのうち、該第１部分１１２と該第２部分１１４がそれぞれ該連結部材１０の展開または折り畳み時の位置決めに用いられる。該第２端１３０は第２孔１３２を含み、該第２孔１３２は、例えば折り畳み構造体の一側や、折り畳み脚立の一方の梯子など、力を作用させる対象に連接させるために用いられる。
【００２７】
該第２柄部２００は第１端２１０と、第２端２３０を含む。該第１端２１０は第１部分２１２と、第２部分２１４と、第１孔２１６を備え、そのうち、該第１部分２１２と該第２部分２１４がそれぞれ該連結部材１０の展開と折り畳み時の位置決めに用いられる。該第２端２３０は第２孔２３２を含み、該第２孔２３２は、例えば折り畳み構造体のもう一側や、折り畳み脚立のもう一方の梯子など、力を作用させる対象に連接させるために用いられる。
【００２８】
図４は図１の操作部３００の立体図である。図４ａは図４の操作部３００の側面図である。図４と図４ａに示すように、該操作部３００は第１部分３１０と、該第１部分３１０に連接された第２部分３２０を備え、該第１部分３１０と該第２部分３２０の挟角が１８０度より小さく、本実施例において、該第１部分３１０と該第２部分３２０の挟角は約９０度である。該第１部分３１０は第１区域３１１と、該第１区域３１１より低い第２区域３１３を備え、該第１区域３１１が孔３１２を有し、該孔３１２が該連結部４００により該第１柄部１００と該第２柄部２００に連結され、該第２区域３１３が孔３１４を備えている。そのうち、該操作部３００の第２部分３２０は、該カバー６００に嵌合させるためのツメ部３２２を選択的に含むことができる。
【００２９】
該操作部３００の第２区域３１３はさらに第１筒部３１５を含み、該第１筒部３１５が該第１ロッド５００の第１端５３０に連接される。いくつかの実施例において、該第１筒部３１５は管部３１６と、該管部３１６の一端に設けられた底部３１７を備え、該管部３１６が該第１ロッド５００の第１端５３０に被着され、該底部３１７が孔３１８を有し、該孔３１８と該第２区域３１３の孔３１４が固着部材４５０で連接される。いくつかの実施例において、第１ワッシャー３７１を該第１筒部３１５と該第１ロッド５００の間に選択的に設置し、該第１筒部３１５と該第１ロッド５００の相対的旋回をより円滑にすることができる。該固着部材４５０は該第１ワッシャー３７１に選択的に穿通される。別のいくつかの実施例において、該第１筒部３１５は該管部３１６を備え、該管部が接着、半田付け、溶接、固着部材またはその他の連接方式で該操作部３００の第２区域３１３に直接固定される。そのうち、図１に示すように、該連結部材１０を展開させると、該第２区域３１３の第１筒部３１５の位置が該第１柄部１００の第２端１３０と該第２柄部２００の第２端２３０より低くなる。図２に示すように、該連結部材１０を折り畳むと、該第２区域３１２の第１筒部３１５の位置が該第１柄部１００の第２端１３０と該第２柄部２００の第２端２３０より高くなる。
【００３０】
該操作部３００の第２部分３２０は２つの凸部３２６を選択的に含むことができ、２つの凸部３２６は該第２部分３２０の相対する両側に設けられ、各該凸部３２６が該第２部分３２０の一表面３２５から遠ざかり外側に向かって延伸される。本実施例において、各該凸部３２６の該第２部分３２０に対する延伸方向は、該第１部分３１０の該第２部分３２０に対する方向とほぼ平行であり、即ち、２つの凸部３２６の延伸方向は該表面３２５とほぼ垂直である。該連結部材１０の展開と折り畳み時、２つの凸部３２６を用いて該第１柄部１００と該第２柄部２００を位置決めすることができる。
【００３１】
このほか、本実施例において、２つの凸部３２６はそれぞれ第１部分３２６ａと第２部分３２６ｂを含み、該連結部材１０の展開時、図１ａに示すように、各該第１部分３２６ａが該第１柄部１００の第１部分１１２と該第２柄部２００の第１部分２１２にそれぞれ当接される。該連結部材１０の折り畳み時、図２ａに示すように、各該第２部分３２６ｂが該第１柄部１００の第２部分１１４と該第２柄部２００の第２部分２１４にそれぞれ当接される。２つの凸部３２６の第１部分３２６ａと第２部分３２６ｂにより、該第１柄部１００と該第２柄部２００の旋回範囲を制限することができる。その他実施例において、該２つの凸部３２６の構造または形状はその他の変化があってもよく、該凸部３２６が該連結部材１０の展開と折り畳み時に該第１柄部１００と該第２柄部２００の旋回範囲を制限できさえすればよい。
【００３２】
該連結部４００は中軸線Ｃに沿って該第２柄部２００の第１孔２１６、該第１柄部１００の第１孔１１６、該操作部３００の孔３１２に穿通され、該第１柄部１００及び該第２柄部２００に該中軸線Ｃを軸として該連結部４００の周囲で旋回させることができる。そのうち、該操作部３００の外側にガスケット４１０が設置され、該操作部３００と該第１柄部１００の間にもガスケット４２０が設置される。その他の実施例において、該ガスケット４１０、４２０は省略して設置しないこともでき、かつ該連結部４００も例えばリベットなど、その他の変化があってもよく、該連結部４００が該第１柄部１００、該第２柄部２００、該操作部３００を連結でき、かつ該第１柄部１００と該第２柄部２００を連結部４００周囲で旋回させることができさえすればよい。
【００３３】
図５は図１の連結部材の第１ロッド５００の立体図である。図５ａは図５の第１ロッド５００の正面図である。該第１ロッド５００は本体５１０と、該第１筒部３１５の管部３１６に回動可能に収容可能な該第１端５３０と、第２端５３５を含む。いくつかの実施例において、該第１ロッド５００はさらに本体５１０から径方向に沿って外側に向かって延伸された複数の縦方向リブ５２０を含む。いくつかの実施例において、該第１ロッド５００は滑らかな表面またはその他手で持ちやすい曲面或いは多辺形表面を備えていてもよい。いくつかの実施例において、該第１ロッド５００は空心構造とすることができる。該第１ロッド５００の延伸方向は該操作部３００の第２部分３２０の延伸方向と相反する。本実施例において、該第１端５３０は該第１筒部３１５を介して該操作部３００の第２区域３１３に間接的に連接される。その他の実施例において、該操作部３００、該第１筒部３１５、該第１ロッド５００の連接手段は変化があってもよく、例えば、該第１筒部３１５は省略して設けず、即ち、該第２区域３１３が直接該第１ロッド５００の第１端５３０に連接される。該第１筒部３１５の管部３１６の内側は該第１ロッド５００の縦方向リブ５２０と嵌合できる凹溝（図示しない）を備えていてもよい。或いは該操作部３００と該第１筒部３１５の連接に用いる固着部材４５０を省略して設けず、該第１ロッド５００の第１端５３０が外側に向かって延伸されたボルト（図示しない）を備え、該第２区域３１３の孔３１４がねじ孔（図示しない）であり、該第１端５３０のボルトを該底部３１７の孔３１８に穿通させて該第２区域３１３のねじ孔に螺合する。或いは、該第２区域３１３にボルト（図示しない）を設け、該第１ロッド５００の第１端５３０がねじ孔（図示しない）を備え、該第２区域３１３のボルトを該底部３１７の孔３１８に穿通させて該第１ロッド５００のねじ孔に螺合する。また或いは、該第１ロッド５００の第１端５３０と該第２区域３１３の孔３１４をリベット等の固定部材で旋回可能に連接する。そのうち、該第２区域３１３、該第１筒部３１５、該第１ロッド５００の連接方式に制限はなく、変化させることができる。
【００３４】
図６に図１の連結部材１０のカバー６００を底面から見た立体図を示す。該カバー６００は、該カバー６００の内部空間を暴露する開口６２０を含み、また該カバー６００は選択的に孔６２２を含んでもよく、該カバー６００を該開口６２０から該操作部３００の第２部分３２０に被着したとき、該第２部分３２０のツメ部３２２を該カバー６００の孔６２２に嵌置させ、該カバー６００を該操作部３００の第２部分３２０上に固定する。該カバー６００は該操作部３００の第２部分３２０を保護し、使用者が該連結部材１０を操作するときの利便性を高めることができる。該カバー６００はプラスチックまたはポリマー等の材料で成り、使用者が鋭利な辺縁で怪我をしないようにする。
【００３５】
これにより、該連結部材１０が展開状態で、該連結部材１０を折り畳みたいとき、使用者は該操作部３００の第２部分３２０または該第１ロッド５００を上に持ち上げると、該第１柄部１００の第２端１３０と該第２柄部２００の第２端２３０が該中軸線Ｃを軸として該連結部４００の周囲を下へ旋回して近付き、該第１柄部１００の第２部分１１４と該第２柄部２００の第２部分２１４が２つの凸部３２６の第２部分３２６ｂに接触すると旋回が停止し、該連結部材１０が図２に示す折り畳み状態に折り畳まれる。反対に、該連結部材１０を展開したいとき、使用者は該操作部３００の第２部分３２０または該第１ロッド５００を下に押すと、該第１柄部１００の第２端１３０と該第２柄部２００の第２端２３０が該中軸線Ｃを軸として該連結部４００の周囲を上へ旋回して互いに遠ざかり、該第１柄部１００の第１部分１１２と該第２柄部２００の第１部分２１２が２つの凸部３２６の第１部分３２６ａに接触すると旋回が停止し、該連結部材１０が図１に示す展開状態に展開される。該連結部材１０の第１ロッド５００により、使用者は片手で該連結部材１０の折り畳みまたは展開を制御でき、同時に、一部の実施例において、該第１ロッド５００が該第１筒部３１５に回動可能に収容されているため、該第１ロッド５００は使用者の手の回動に伴って回動でき、使用者が該連結部材１０を折り畳みまたは展開するときより円滑に行うことができる。または、使用者は該操作部３００の第２部分３２０を通じ、手を該第１柄部１００と該第２柄部２００の旋回範囲から遠ざけることができるため、手を挟む危険が低下し、より安全かつ便利な連結部材１０が提供される。
【００３６】
図７は本考案の一実施例の連結部材２０の展開状態の立体図である。図８は図７の連結部材２０の立体分解図である。図９は図７の操作部３６０の立体図である。
【００３７】
図７から図９に示すように、本考案の一実施例の連結部材２０はその構造が該連結部材１０とほぼ同じであるが、該連結部材２０がさらに第２筒部３１９と、第２ロッド５５０と、カバーケース５８０を含む点が異なり、該第２筒部３１９の構造は該第１筒部３１５と同じであり、該第２ロッド５５０の構造は該第１ロッド５００と同じであり、該カバーケース５８０が該第１ロッド５００と該第２ロッド５５０の外側に被着され、そのうち、該カバーケース５８０内部に選択的に仕切り板５８２を設け、該第１ロッド５００と該第２ロッド５５０の間に配置することができる。該カバーケース５８０は該第１ロッド５００と該第２ロッド５５０を位置規制するために用いられ、該操作部３６０の第２区域３１３ａが２つの孔３１４ａを備え、該第１筒部３１５及び第２筒部３１９にそれぞれ連接され、該第１筒部３１５と該第２筒部３１９が該第１ロッド５００と該第２ロッド５５０の第１端５３０、５６０にそれぞれ被着される。いくつかの実施例において、第１ワッシャー３７１が該第１筒部３１５と該第２ロッド５５０の間に選択的に設置され、第２ワッシャー３７２が該第２筒部３１９と該第２ロッド５５０の間に選択的に設置され、該第１筒部３１５と該第１ロッド５００、及び該第２筒部３１９と該第２ロッド５５０の相対的旋回をより円滑にすることができる。該第１ワッシャー３７１と該第２ワッシャー３７２に選択的にそれぞれ固着部材４５０、４５０’が穿通される。その他の実施例において、該カバーケース５８０は省略して設けなくてもよく、或いは前述の図５で論じた好適な方法で連接される。該連結部材１０のカバーケース５８０を通じ、使用者は片手で該連結部材１０の折り畳みまたは展開を制御することができる。該カバーケース５８０はプラスチックまたはポリマー等の材料で成り、使用者が鋭利な辺縁で怪我をしないようにする。
【００３８】
図１０に本考案の一実施例の折り畳み構造体１５の展開状態の立体図を示す。図１１に図１０の折り畳み構造体１５の折り畳み状態の側面図を示す。図１０と図１１に示すように、該折り畳み構造体１５は、第１側１５１と、第２側１５２と、連結部材１０を含み、かつ選択的に少なくとも１つの固定部材７００を含むことができ（図１０の実施例において、折り畳み構造体１５は４つの固定部材７００を備えている）、該第１柄部１００の第２端１３０が該固定部材７００により該第１側１５１と相互に連接され、該第２柄部２００の第２端２３０が該固定部材７００により該第２側１５２と相互に連接される。そのうち、該折り畳み構造体１５はさらに別の連結部材１０を含み、第１柄部１００’と、別の第２柄部２００’と、別の操作部３００’と、別の連結部４００’と、該操作部３００’に設置された別のカバー６００’を含み、該第１柄部１００’、該第２柄部２００’、該操作部３００’、該連結部４００’、該カバー６００’が該連結部材１０の相対する側に設置され、該操作部３００’がさらに第１筒部３１５’を含み、該第１ロッド５００の第２端５３５に被着される。別の連結部材１０の第１柄部１００’は第２端を備え、該折り畳み構造体１５の第２側１５２と相互に連接され、第２柄部２００’は第２端を備え、該折り畳み構造体１５の第１側１５１と相互に連接される。別の連結部材１０の該第１柄部１００’の第２端１３０’が該固定部材７００により該第２側１５２と相互に連接され、該第２柄部２００’の第２端２３０’が該固定部材７００により該第１側１５１と相互に連接される。この構造設計により、使用者はより安定的に該折り畳み構造体１５の展開または折り畳みを制御することができる。
【００３９】
このほか、上述のように、該折り畳み構造体１５が折り畳み状態のとき、該２つの操作部３００、３００’の凸部３２６がそれぞれ該２つの第１柄部１００、１００’と該２つの第２柄部２００、２００’に対して位置決め作用を発揮するため、該折り畳み構造体１５の第１側１５１と第２側１５２が過度に折り畳まれて近付き、ぶつかることがなく、破損を回避することができる。その他の実施例において、該固定部材７００は省略して設けなくてもよく、即ち、該連結部材１０がそれぞれ該２つの第１柄部１００、１００’、該２つの第２柄部２００、２００’の第２端１３０、１３０’、２３０、２３０’を介して直接該第１側１５１と該第２側１５２に枢着される。
【００４０】
本実施例において、該折り畳み構造体１５は折り畳み式脚立であり、該第１側１５１及び該第２側１５２は該折り畳み式脚立の一対の梯子で、該第１側１５１と該第２側１５２の長さは同じである。図１１に示すように、該第１側１５１は２つの支柱１５６と、該２つの支柱１５６の間に設置された４つの踏ざん１５３と、該支柱１５６と最下方の該踏ざん１５３の間にそれぞれ設置された２つの支持部１５５を含み、該第２側１５２は２つの支柱１５７と、該２つの支柱１５７の間に設置された４つの踏ざん１５３と、該支柱１５７と最下方の該踏ざん１５３の間にそれぞれ設置された２つの支持部（図示しない）を含み、該支柱１５６、１５７は実心の支柱であり、各該踏ざん１５３は折り畳み式脚立の踏み板であり、使用者の重量を受け止めるために用いられ、該支持部１５５は使用者の力がかかる方向と反対の方向に配置され、該折り畳み構造体１５の耐荷重能力を高める。上述の実施例において、該折り畳み構造体１５はその他の変化があってもよく、例えば、図１２の本考案の一実施例の折り畳み構造体２５の展開状態の立体図に示すように、該連結部材１０を該連結部材２０に替え、該操作部３００’を別の該操作部３６０’に替えることができる。いくつかの実施例において、使用者は該折り畳み構造体１５が折り畳み状態にあるとき、該折り畳み構造体１５の第１ロッド５００を直接掴んで、該折り畳み構造体１５を直接持ち上げ、該折り畳み構造体１５をより便利に移動でき、より楽に扱うことができる。同様に、いくつかの実施例において、使用者は該折り畳み構造体２５が折り畳み状態にあるとき、該折り畳み構造体２５のカバーケース５８０を直接掴んで、該折り畳み構造体２５を直接持ち上げ、該折り畳み構造体２５をより便利に移動でき、より楽に扱うことができる。
【００４１】
このほか、該折り畳み構造体１５は、それぞれが軸に沿って旋回し、開閉する両側（上述の実施例の第１側１５１と第２側１５２のように）を含む任意の構造とすることができ、該両側の各一端を旋回させて相互を遠ざけたり、接近させたりすることができる。図１３から図１５に示すように、該第１側１５１及び該第２側１５２の構造に制限はなく、変化が可能である。図１３と図１３ａに本考案の一実施例の折り畳み構造体３５の展開状態の立体図を示す。図１４に本考案の一実施例の折り畳み構造体４５の展開状態の立体図を示す。図１５に本考案の一実施例の折り畳み構造体５５の展開状態の立体図を示す。
【００４２】
図１３と図１３ａに示すように、該折り畳み構造体３５の第１柄部１００、１００’と第２柄部２００、２００’は該第１側１５１と該第２側１５２に直接連接され、該支柱１５６、１５７は中空の支柱であり、かつ図１３ａに示すように、各該支柱１５６、１５７の表面に凹溝１５１１と、該凹溝１５１１内に収容された装飾ストリップ１５１２が設けられ、該折り畳み構造体１５全体がより軽量化されている。該装飾ストリップ１５１２は使用者が支柱１５６、１５７表面の孔、突起物、鋭利な辺縁によって怪我をしないようにすると同時に、操作の安全性と美観を向上することができる。
【００４３】
図１４に示すように、該折り畳み構造体４５の第１側１５１は上に延伸された手すり部１５１３を備え、該第２側１５２は構造を強化するための強化構造１５４のみを有し、踏ざんを備えていない。該強化構造１５４は横棒、斜め棒、交差棒、曲棒、または直棒等の構造を含むことができる。図１５に示すように、該折り畳み構造体５５はトレイ１５１４を備え、該トレイ１５１４の相対する両側に下に延伸された２つの棒体１５１５が設けられ、該トレイ１５１４は該２つの棒体１５１５により該第１側１５１または該第２側１５２に固定して設置される。その他の実施例において、該２つの棒体１５１５は伸縮可能に該第１側１５１に設けられ（例えば追加設置した位置決めハンドルまたは機構を使用して延伸長さを調整する）、該トレイ１５１４の位置は使用者のニーズに応じて調整することができる。該２つの折り畳み構造体４５、５５は補助部材（例：該手すり部１５１３または該トレイ１５１４）が設置されているため、使用者の運用上の利便性を向上することができる。本考案の要旨を逸脱しない簡易な構造の修飾または変化はいずれも本考案の請求の範囲に含まれる。
【００４４】
図１６は本考案の一実施例の連結部材の展開状態の立体図であり、図１７は図１６の連結部材の立体分解図である。図１６と図１７を参照する。図１６と図１７に示す連結部材３０は連結部材１０の変化である。本考案の一実施例の連結部材３０は、第１柄部１００と、第２柄部２００と、操作部３００"と、第１筒部３１５と、連結部４００と、第１ロッド５００と、カバー６００を含む。連結部材１０との主な違いは、該操作部３００"の構造と、該操作部３００"と該第１筒部３１５と該連結部４００の連接関係にある。該第１柄部１００、該第２柄部２００、該第１筒部３１５、該連結部４００、該第１ロッド５００、該カバー６００の特徴は、図１から図６の説明を参照することができる。
【００４５】
図１８は図１６の操作部の立体図である。図１６から図１８を参照する。図１６と図１７に示す連結部材３０に使用されている操作部３００"は、第１部分３１０"と第２部分３２０"を備え、該第２部分３２０"と該第１部分３１０"が連接され、かつ該第１部分３１０"と該第２部分３２０"の挟角が１８０度より小さく、本実施例において、該第１部分３１０"と該第２部分３２０"の挟角は約９０度である。該操作部３００"の第２部分３２０"は、該カバー６００に嵌合させるためのツメ部３２２"を選択的に含むことができる。該第１部分３１０"は孔３１２"を備え、該孔３１２"は該連結部４００を介して該第１柄部１００、該第２柄部２００及び該第１筒部３１５の底部３１７に連接される。該第１筒部３１５は該第１ロッド５００の第１端５３０に連接され、いくつかの実施例において、該管部３１６が該第１ロッド５００の第１端５３０に被着され、該底部３１７が孔３１８を備え（図３または図１９に示す）、該管部３１６の孔３１８と該第１部分の孔３１２"が揃っている。さらに説明すると、連結部４００を孔３１８と孔３１２"に穿通することで、該第１筒部３１５と該操作部３００"を連接することができる。いくつかの実施例において、第１ワッシャー３７１を該第１筒部３１５と該第１ロッド５００の間に選択的に設置し、該第１筒部３１５と該第１ロッド５００の相対的旋回をより円滑にすることができる。
【００４６】
該操作部３００"の第２部分３２０"は、図１から図４に示すような２つの凸部（図１８に示さない）を選択的に含むことができ、該連結部材１０の展開と折り畳み時に、２つの凸部３２６を用いて該第１柄部１００と該第２柄部２００を位置決めし、該第１柄部１００と該第２柄部２００の旋回範囲を制限する。図１９は図１６の第１筒部の正面図である。図１６から図１９に示すように、第１筒部３１５の底面３１７は、内側区域３１７Ｃと外側区域３１７Ｐを備え、該内側区域３１７Ｃは該外側区域３１７Ｐより孔３１８に近い。第１ロッド５００が第１筒部３１５内で円滑に旋回できるようにするために、該第１筒部３１５に被着される管部３１６内の該第１ロッド５００は該連結部４００によって固定されていない。いくつかの実施例において、該連結部４００と該管部３１６の間には間隔がある。いくつかの実施例において、該第１ロッド５００は空心構造であり、底面３１７の外側区域３１７Ｐとのみ接触し、該連結部４００が底面３１７の内側区域３１７Ｃに連接され、即ち、該連結部４００と該管部３１６の間には底面３１７の径方向に沿って間隔がある。その他の実施例において、該連結部４００と該管部３１６の間には中軸線Ｃ方向の間隔があり、該第１ロッド５００は該第１筒部３１５の底面３１７及び連結部４００に接触しない。つまり、該連結部４００と該管部３１６の間は径方向（底面３１７の半径方向に沿った）または軸方向（中軸線Ｃの方向に沿った）間隔を具備することができる。
【００４７】
図２０は本考案の一実施例の折り畳み構造体の展開状態の立体図であり、図２１は本考案の一実施例の連結部材の展開状態の立体図であり、図２２は図２１の折り畳み構造体の展開状態の側面図である。図１７から図２２に示すように、該折り畳み構造体６５は、第１側８０１と、第２側８０２と、第３側８０３と、連結部材３０を含む。いくつかの実施例において、該第３側８０３は水平方向の作業台とすることができ、該第１側８０１と該第２側８０２は人体の重量に耐えることができる梯子面である。該第１側８０１と該第３側８０３の一端が旋回可能に枢着され、該第２側８０２と該第３側８０３の相対する端が旋回可能に枢着される。該折り畳み構造体６５は、少なくとも１つの固定部材７００（図２０の実施例において、各連結部材３０は２つの固定部材７００を使用して固定されている）選択的に含むことができ、そのうち、該第１柄部１００の第２端１３０が該固定部材７００により該第１側８０１と相互に連接され、該第２柄部２００の第２端２３０が該固定部材７００により該第３側１５２と相互に連接される。そのうち、該折り畳み構造体６５はさらに別の連結部材３０を含み、該連結部材３０が、別の第１柄部１００’と、別の第２柄部２００’と、別の操作部３００"と、別の第１筒部３１５’と、別の連結部４００’と、該連結部材３０の相対する側に設置された別の第１筒部３１５’を含み、そのうち、別の第１筒部３１５’が該第１ロッド５００の第２端５３５に旋回可能に被着され、該第１ロッド５００が２つの連結部材３０の間に配置される。前述はさらに別の連結部材３０の部材を含み（図２１参照）、合わせて連結部材３０’と呼ぶことができる。該別の連結部材３０の該第１柄部１００’の第２端１３０’が該固定部材７００により該第３側８０３と相互に連接され、該第２柄部２００’の第２端２３０’が該固定部材７００により該第１側８０１と相互に連接され、この構造設計により、使用者は該折り畳み構造体６５の展開又は折り畳みをより安定的に制御することができる。
【００４８】
その他の実施例において、該固定部材７００は省略して設けないこともできる。
【００４９】
本実施例において、該折り畳み構造体６５は作業台であり、該第１側８０１と該第２側８０２の長さが同じで、第３側８０３が床面とほぼ平行となる。該折り畳み構造体６５は計４つの連結部材３０を備え、そのうち２つの連結部材３０が第１側８０１と第３側８０３を連接し、別の２つの連結部材３０が第２側８０２と第３側８０３を連接する。即ち、該折り畳み構造体６５は２つの図２１に示す連結部材３０’を備えており、そのうち１つの連結部材３０’が第１側８０１と第３側８０３の下方を連接し、別の２つの連結部材が第２側８０２と第３側８０３の下方を連接する。
【００５０】
図２３は本考案の一実施例の折り畳み構造体の折り畳み状態の立体図である。図１６、図１８、図２０、図２３に示すように、使用者は該折り畳み構造体６５の第１ロッド５００を持つか、または該操作部３００"の第２部分３２０"を持ち上げて該折り畳み構造体６５を折り畳み、該第１側８０１と該第２側８０２をそれぞれ枢着軸の周囲で旋回させて該第３側８０３に近付けることができ、使用者は直接該第１側８０１と該第２側８０２を第３側８０３に対して回動させることができる。該第１柄部１００と該第２柄部２００は該中軸線Ｃを軸として該連結部４００の周囲を旋回し、折り畳まれる。いくつかの実施例において、折り畳み状態にあるとき、使用者は該折り畳み構造体６５の第１ロッド５００を掴んで、該折り畳み構造体１５を持ち上げ、より楽に扱うことができる。反対に、該連結部材６５が折り畳み状態にあるとき、使用者は第１側８０１または第２側８０２を回動させて該連結部材６５を展開することができ、また該操作部３００"の第２部分３２０"または該第１ロッド５００を掴み、第１側８０１または第２側８０２を第３側に対して旋回させることもでき、そのうち該第１柄部１００と該第２柄部２００は該中軸線Ｃを軸として該連結部４００の周囲を旋回し、展開される。
【００５１】
一部の実施例において、該第１ロッド５００が該第１筒部３１５に回動可能に収容されているため、該第１ロッド５００は使用者の手の回動に伴って回動でき、使用者が該折り畳み構造体６５を折り畳みまたは展開するときより円滑に行うことができる。または、使用者は該操作部３００"の第２部分３２０"通じ、手を該第１柄部１００と該第２柄部２００の旋回範囲から遠ざけることができるため、手を挟む危険が低下し、より安全かつ便利な該折り畳み構造体６５が提供される。
【００５２】
上述の実施例において、連結部材１０、連結部材２０、連結部材３０、連結部材３０’は相互に置換でき、折り畳み構造体１５、折り畳み構造体２５、折り畳み構造体３５、折り畳み構造体４５、折り畳み構造体５５または折り畳み構造体６５上に応用することができる。本考案の要旨を逸脱しない簡易な構造の修飾または変化はいずれも本考案の請求の範囲に含まれる。
【符号の説明】
【００５３】
１０…連結部材、２０…連結部材、３０…連結部材、３０’…連結部材、１５…折り畳み構造体、２５…折り畳み構造体、３５…折り畳み構造体、４５…折り畳み構造体、５５…折り畳み構造体、６５…折り畳み構造体、１５１…折り畳み構造体の第１側、１５１１…凹溝、１５１２…装飾ストリップ、１５１３…手すり部、１５１４…トレイ、１５１５…棒体、１５２…折り畳み構造体の第２側、１５３…踏ざん、１５４…強化構造、１５５…支持部、１５６…支柱、１５７…支柱、１００…第１柄部、１００’…第１柄部、１１０…第１柄部の第１端、１１２…第１柄部の第１部分、１１４…第１柄部の第２部分、１１６ 第１柄部の第１孔、１３０…第１柄部の第２端、１３０’…第１柄部の第２端、１３２…第１柄部の第２孔、２００…第２柄部、２００’…第２柄部、２１０…第２柄部の第１端、２１２…第２柄部の第１部分、２１４…第２柄部の第２部分、２１６…第２柄部の第１孔、２３０…第２柄部の第２端、２３０’…第２柄部の第２端、２３２…第２柄部の第２孔、３００…操作部、３００’…操作部、３００"…操作部、３１０…操作部の第１部分、３１０ａ…操作部の第１部分、３１０"…操作部の第１部分、３１１…第１部分の第１区域、３１２…第１区域の孔、３１２"…操作部の第１部分の孔、３１３…第１部分の第２区域、３１３ａ…第１部分の第２区域、３１４…第２区域の孔、３１４ａ…第２区域の孔、３１５…第１筒部、３１５’…第１筒部、３１６…第１筒部の管部、３１７…第１筒部の底部、３１７Ｃ…第１筒の底部の内側区域、３１７Ｐ…第１筒の底部の外側区域、３１８…底部の孔、３１９…第２筒部、３２０…操作部の第２部分、３２０"…操作部の第２部分、３２２…第２部分のツメ部、３２２"…第２部分のツメ部、３２５…第２部分の表面、３２６…第２部分の凸部、３２６ａ…凸部の第１部分、３２６ｂ…凸部の第２部分、３６０…操作部、３６０’…操作部、３７１…第１ワッシャー、３７２…第２ワッシャー、４００…連結部、４００’…連結部、４１０…ガスケット、４２０…ガスケット、４５０…固着部材、４５０’…固着部材、５００…第１ロッド、５１０…本体、５２０…縦方向リブ、５３０…第１ロッドの第１端、５３５…第１ロッドの第２端、５５０…第２ロッド、５６０…第２ロッドの第１端、５８０…カバーケース、５８２…仕切り板、６００…カバー、６００’…カバー、６２０…開口、６２２…カバーの孔、７００…固定部材、８０１…第１側、８０２…第２側、８０３…第３側、Ｃ…中軸線
【図１】
0003220862.tif 000003
【図１ａ】
0003220862.tif 000004
【図２】
0003220862.tif 000005
【図２ａ】
0003220862.tif 000006
【図３】
0003220862.tif 000007
【図４】
0003220862.tif 000008
【図４ａ】
0003220862.tif 000009
【図５】
0003220862.tif 000010
【図５ａ】
0003220862.tif 000011
【図６】
0003220862.tif 000012
【図７】
0003220862.tif 000013
【図８】
0003220862.tif 000014
【図９】
0003220862.tif 000015
【図１０】
0003220862.tif 000016
【図１１】
0003220862.tif 000017
【図１２】
0003220862.tif 000018
【図１３】
0003220862.tif 000019
【図１３ａ】
0003220862.tif 000020
【図１４】
0003220862.tif 000021
【図１５】
0003220862.tif 000022
【図１６】
0003220862.tif 000023
【図１７】
0003220862.tif 000024
【図１８】
0003220862.tif 000025
【図１９】
0003220862.tif 000026
【図２０】
0003220862.tif 000027
【図２１】
0003220862.tif 000028
【図２２】
0003220862.tif 000029
【図２３】
0003220862.tif 000030
【手続補正書】
【提出日】平成31年2月15日(2019.2.15)
【手続補正１】
【補正対象書類名】明細書
【補正対象項目名】０００８
【補正方法】変更
【補正の内容】
【０００８】
本考案の一実施例において、該操作部が該第１部分に連接された第２部分を備え、該第２部分と該第１部分の挟角が１８０度より小さい。
【手続補正２】
【補正対象書類名】明細書
【補正対象項目名】００１６
【補正方法】変更
【補正の内容】
【００１６】
本考案の一実施例において、折り畳み構造体は、第１側の構成体と、第２側の構成体と、前述の連結部材を含み、そのうち、該第１柄部の第２端と該折り畳み構造体における第１側の構成体が相互に連接され、該第２柄部の第２端と該折り畳み構造体における第２側の構成体が相互に連接される。これにより、該連結部材を該折り畳み構造体における第１側の構成体及び第２側の構成体上に固定し、該折り畳み構造体の展開と折り畳みを制御する。
【手続補正３】
【補正対象書類名】明細書
【補正対象項目名】００１７
【補正方法】変更
【補正の内容】
【００１７】
本考案の一実施例において、該折り畳み構造体はさらに、前述の連結部材を含み、そのうち、該第１柄部の第２端と該折り畳み構造体における第２側の構成体が相互に連接され、該第２柄部の第２端と該折り畳み構造体における第１側の構成体が相互に連接され、該第１ロッドが２つの該連結部材の間に配置される。
【手続補正４】
【補正対象書類名】明細書
【補正対象項目名】００１９
【補正方法】変更
【補正の内容】
【００１９】
本考案の一実施例において、折り畳み構造体は、第１側の構成体と、第２側の構成体と、第３側の構成体と、前述の連結部材を含み、そのうち、該第３側の構成体の第１端が該第１側の構成体に連接され、該第３側の構成体の第２端が該第２側の構成体に連接され、該第１柄部の第２端と該折り畳み構造体における第１側の構成体が相互に連接され、該第２柄部の第２端と該折り畳み構造体における第３側の構成体が相互に連接される。
【手続補正５】
【補正対象書類名】明細書
【補正対象項目名】００２０
【補正方法】変更
【補正の内容】
【００２０】
本考案の一実施例において、折り畳み構造体は、前述の連結部材を含み、そのうち、該第１柄部の第２端と該折り畳み構造体における第３側の構成体が相互に連接され、該第２柄部の第２端と該折り畳み構造体における第１側の構成体が相互に連接される。
【手続補正６】
【補正対象書類名】明細書
【補正対象項目名】００２１
【補正方法】変更
【補正の内容】
【００２１】
本考案の一実施例において、折り畳み構造体は、第１側の構成体と、第２側の構成体と、前述の連結部材を含み、そのうち、該第１柄部の第２端と該折り畳み構造体における第１側の構成体が相互に連接され、該第２柄部の第２端と該折り畳み構造体における第２側の構成体が相互に連接される。
【手続補正７】
【補正対象書類名】明細書
【補正対象項目名】００３８
【補正方法】変更
【補正の内容】
【００３８】
図１０に本考案の一実施例の折り畳み構造体１５の展開状態の立体図を示す。図１１に図１０の折り畳み構造体１５の折り畳み状態の側面図を示す。図１０と図１１に示すように、該折り畳み構造体１５は、第１側の構成体１５１と、第２側の構成体１５２と、連結部材１０を含み、かつ選択的に少なくとも１つの固定部材７００を含むことができ（図１０の実施例において、折り畳み構造体１５は４つの固定部材７００を備えている）、該第１柄部１００の第２端１３０が該固定部材７００により該第１側の構成体１５１と相互に連接され、該第２柄部２００の第２端２３０が該固定部材７００により該第２側の構成体１５２と相互に連接される。そのうち、該折り畳み構造体１５はさらに別の連結部材１０を含み、第１柄部１００’と、別の第２柄部２００’と、別の操作部３００’と、別の連結部４００’と、該操作部３００’に設置された別のカバー６００’を含み、該第１柄部１００’、該第２柄部２００’、該操作部３００’、該連結部４００’、該カバー６００’が該連結部材１０の相対する側に設置され、該操作部３００’がさらに第１筒部３１５’を含み、該第１ロッド５００の第２端５３５に被着される。別の連結部材１０の第１柄部１００’は第２端を備え、該折り畳み構造体１５における第２側の構成体１５２と相互に連接され、第２柄部２００’は第２端を備え、該折り畳み構造体１５における第１側の構成体１５１と相互に連接される。別の連結部材１０の該第１柄部１００’の第２端１３０’が該固定部材７００により該第２側の構成体１５２と相互に連接され、該第２柄部２００’の第２端２３０’が該固定部材７００により該第１側の構成体１５１と相互に連接される。この構造設計により、使用者はより安定的に該折り畳み構造体１５の展開または折り畳みを制御することができる。
【手続補正８】
【補正対象書類名】明細書
【補正対象項目名】００３９
【補正方法】変更
【補正の内容】
【００３９】
このほか、上述のように、該折り畳み構造体１５が折り畳み状態のとき、該２つの操作部３００、３００’の凸部３２６がそれぞれ該２つの第１柄部１００、１００’と該２つの第２柄部２００、２００’に対して位置決め作用を発揮するため、該折り畳み構造体１５における第１側の構成体１５１と第２側の構成体１５２が過度に折り畳まれて近付き、ぶつかることがなく、破損を回避することができる。その他の実施例において、該固定部材７００は省略して設けなくてもよく、即ち、該連結部材１０がそれぞれ該２つの第１柄部１００、１００’、該２つの第２柄部２００、２００’の第２端１３０、１３０’、２３０、２３０’を介して直接該第１側の構成体１５１と該第２側の構成体１５２に枢着される。
【手続補正９】
【補正対象書類名】明細書
【補正対象項目名】００４０
【補正方法】変更
【補正の内容】
【００４０】
本実施例において、該折り畳み構造体１５は折り畳み式脚立であり、該第１側の構成体１５１及び該第２側の構成体１５２は該折り畳み式脚立の一対の梯子で、該第１側の構成体１５１と該第２側の構成体１５２の長さは同じである。図１１に示すように、該第１側の構成体１５１は２つの支柱１５６と、該２つの支柱１５６の間に設置された４つの踏ざん１５３と、該支柱１５６と最下方の該踏ざん１５３の間にそれぞれ設置された２つの支持部１５５を含み、該第２側の構成体１５２は２つの支柱１５７と、該２つの支柱１５７の間に設置された４つの踏ざん１５３と、該支柱１５７と最下方の該踏ざん１５３の間にそれぞれ設置された２つの支持部（図示しない）を含み、該支柱１５６、１５７は実心の支柱であり、各該踏ざん１５３は折り畳み式脚立の踏み板であり、使用者の重量を受け止めるために用いられ、該支持部１５５は使用者の力がかかる方向と反対の方向に配置され、該折り畳み構造体１５の耐荷重能力を高める。上述の実施例において、該折り畳み構造体１５はその他の変化があってもよく、例えば、図１２の本考案の一実施例の折り畳み構造体２５の展開状態の立体図に示すように、該連結部材１０を該連結部材２０に替え、該操作部３００’を別の該操作部３６０’に替えることができる。いくつかの実施例において、使用者は該折り畳み構造体１５が折り畳み状態にあるとき、該折り畳み構造体１５の第１ロッド５００を直接掴んで、該折り畳み構造体１５を直接持ち上げ、該折り畳み構造体１５をより便利に移動でき、より楽に扱うことができる。同様に、いくつかの実施例において、使用者は該折り畳み構造体２５が折り畳み状態にあるとき、該折り畳み構造体２５のカバーケース５８０を直接掴んで、該折り畳み構造体２５を直接持ち上げ、該折り畳み構造体２５をより便利に移動でき、より楽に扱うことができる。
【手続補正１０】
【補正対象書類名】明細書
【補正対象項目名】００４１
【補正方法】変更
【補正の内容】
【００４１】
このほか、該折り畳み構造体１５は、それぞれが軸に沿って旋回し、開閉する両側（上述の実施例の第１側の構成体１５１と第２側の構成体１５２のように）を含む任意の構造とすることができ、該両側の各一端を旋回させて相互を遠ざけたり、接近させたりすることができる。図１３から図１５に示すように、該第１側の構成体１５１及び該第２側の構成体１５２の構造に制限はなく、変化が可能である。図１３と図１３ａに本考案の一実施例の折り畳み構造体３５の展開状態の立体図を示す。図１４に本考案の一実施例の折り畳み構造体４５の展開状態の立体図を示す。図１５に本考案の一実施例の折り畳み構造体５５の展開状態の立体図を示す。
【手続補正１１】
【補正対象書類名】明細書
【補正対象項目名】００４２
【補正方法】変更
【補正の内容】
【００４２】
図１３と図１３ａに示すように、該折り畳み構造体３５の第１柄部１００、１００’と第２柄部２００、２００’は該第１側の構成体１５１と該第２側の構成体１５２に直接連接され、該支柱１５６、１５７は中空の支柱であり、かつ図１３ａに示すように、各該支柱１５６、１５７の表面に凹溝１５１１と、該凹溝１５１１内に収容された装飾ストリップ１５１２が設けられ、該折り畳み構造体１５全体がより軽量化されている。該装飾ストリップ１５１２は使用者が支柱１５６、１５７表面の孔、突起物、鋭利な辺縁によって怪我をしないようにすると同時に、操作の安全性と美観を向上することができる。
【手続補正１２】
【補正対象書類名】明細書
【補正対象項目名】００４３
【補正方法】変更
【補正の内容】
【００４３】
図１４に示すように、該折り畳み構造体４５における第１側の構成体１５１は上に延伸された手すり部１５１３を備え、該第２側の構成体１５２は構造を強化するための強化構造１５４のみを有し、踏ざんを備えていない。該強化構造１５４は横棒、斜め棒、交差棒、曲棒、または直棒等の構造を含むことができる。図１５に示すように、該折り畳み構造体５５はトレイ１５１４を備え、該トレイ１５１４の相対する両側に下に延伸された２つの棒体１５１５が設けられ、該トレイ１５１４は該２つの棒体１５１５により該第１側の構成体１５１または該第２側の構成体１５２に固定して設置される。その他の実施例において、該２つの棒体１５１５は伸縮可能に該第１側の構成体１５１に設けられ（例えば追加設置した位置決めハンドルまたは機構を使用して延伸長さを調整する）、該トレイ１５１４の位置は使用者のニーズに応じて調整することができる。該２つの折り畳み構造体４５、５５は補助部材（例：該手すり部１５１３または該トレイ１５１４）が設置されているため、使用者の運用上の利便性を向上することができる。本考案の要旨を逸脱しない簡易な構造の修飾または変化はいずれも本考案の請求の範囲に含まれる。
【手続補正１３】
【補正対象書類名】明細書
【補正対象項目名】００４７
【補正方法】変更
【補正の内容】
【００４７】
図２０は本考案の一実施例の折り畳み構造体の展開状態の立体図であり、図２１は本考案の一実施例の連結部材の展開状態の立体図であり、図２２は図２１の折り畳み構造体の展開状態の側面図である。図１７から図２２に示すように、該折り畳み構造体６５は、第１側の構成体８０１と、第２側の構成体８０２と、第３側の構成体８０３と、連結部材３０を含む。いくつかの実施例において、該第３側の構成体８０３は水平方向の作業台とすることができ、該第１側の構成体８０１と該第２側の構成体８０２は人体の重量に耐えることができる梯子面である。該第１側の構成体８０１と該第３側の構成体８０３の一端が旋回可能に枢着され、該第２側の構成体８０２と該第３側の構成体８０３の相対する端が旋回可能に枢着される。該折り畳み構造体６５は、少なくとも１つの固定部材７００（図２０の実施例において、各連結部材３０は２つの固定部材７００を使用して固定されている）選択的に含むことができ、そのうち、該第１柄部１００の第２端１３０が該固定部材７００により該第１側の構成体８０１と相互に連接され、該第２柄部２００の第２端２３０が該固定部材７００により該第３側の構成体１５２と相互に連接される。そのうち、該折り畳み構造体６５はさらに別の連結部材３０を含み、該連結部材３０が、別の第１柄部１００’と、別の第２柄部２００’と、別の操作部３００"と、別の第１筒部３１５’と、別の連結部４００’と、該連結部材３０の相対する側に設置された別の第１筒部３１５’を含み、そのうち、別の第１筒部３１５’が該第１ロッド５００の第２端５３５に旋回可能に被着され、該第１ロッド５００が２つの連結部材３０の間に配置される。前述はさらに別の連結部材３０の部材を含み（図２１参照）、合わせて連結部材３０’と呼ぶことができる。該別の連結部材３０の該第１柄部１００’の第２端１３０’が該固定部材７００により該第３側の構成体８０３と相互に連接され、該第２柄部２００’の第２端２３０’が該固定部材７００により該第１側の構成体８０１と相互に連接され、この構造設計により、使用者は該折り畳み構造体６５の展開又は折り畳みをより安定的に制御することができる。
【手続補正１４】
【補正対象書類名】明細書
【補正対象項目名】００４９
【補正方法】変更
【補正の内容】
【００４９】
本実施例において、該折り畳み構造体６５は作業台であり、該第１側の構成体８０１と該第２側の構成体８０２の長さが同じで、第３側の構成体８０３が床面とほぼ平行となる。該折り畳み構造体６５は計４つの連結部材３０を備え、そのうち２つの連結部材３０が第１側の構成体８０１と第３側の構成体８０３を連接し、別の２つの連結部材３０が第２側の構成体８０２と第３側の構成体８０３を連接する。即ち、該折り畳み構造体６５は２つの図２１に示す連結部材３０’を備えており、そのうち１つの連結部材３０’が第１側の構成体８０１と第３側の構成体８０３の下方を連接し、別の２つの連結部材が第２側の構成体８０２と第３側の構成体８０３の下方を連接する。
【手続補正１５】
【補正対象書類名】明細書
【補正対象項目名】００５０
【補正方法】変更
【補正の内容】
【００５０】
図２３は本考案の一実施例の折り畳み構造体の折り畳み状態の立体図である。図１６、図１８、図２０、図２３に示すように、使用者は該折り畳み構造体６５の第１ロッド５００を持つか、または該操作部３００"の第２部分３２０"を持ち上げて該折り畳み構造体６５を折り畳み、該第１側の構成体８０１と該第２側の構成体８０２をそれぞれ枢着軸の周囲で旋回させて該第３側の構成体８０３に近付けることができ、使用者は直接該第１側の構成体８０１と該第２側の構成体８０２を第３側の構成体８０３に対して回動させることができる。該第１柄部１００と該第２柄部２００は該中軸線Ｃを軸として該連結部４００の周囲を旋回し、折り畳まれる。いくつかの実施例において、折り畳み状態にあるとき、使用者は該折り畳み構造体６５の第１ロッド５００を掴んで、該折り畳み構造体１５を持ち上げ、より楽に扱うことができる。反対に、該連結部材６５が折り畳み状態にあるとき、使用者は第１側の構成体８０１または第２側の構成体８０２を回動させて該連結部材６５を展開することができ、また該操作部３００"の第２部分３２０"または該第１ロッド５００を掴み、第１側の構成体８０１または第２側の構成体８０２を第３側の構成体に対して旋回させることもでき、そのうち該第１柄部１００と該第２柄部２００は該中軸線Ｃを軸として該連結部４００の周囲を旋回し、展開される。
【手続補正１６】
【補正対象書類名】明細書
【補正対象項目名】００５３
【補正方法】変更
【補正の内容】
【００５３】
１０…連結部材、２０…連結部材、３０…連結部材、３０’…連結部材、１５…折り畳み構造体、２５…折り畳み構造体、３５…折り畳み構造体、４５…折り畳み構造体、５５…折り畳み構造体、６５…折り畳み構造体、１５１…折り畳み構造体における第１側の構成体、１５１１…凹溝、１５１２…装飾ストリップ、１５１３…手すり部、１５１４…トレイ、１５１５…棒体、１５２…折り畳み構造体における第２側の構成体、１５３…踏ざん、１５４…強化構造、１５５…支持部、１５６…支柱、１５７…支柱、１００…第１柄部、１００’…第１柄部、１１０…第１柄部の第１端、１１２…第１柄部の第１部分、１１４…第１柄部の第２部分、１１６   第１柄部の第１孔、１３０…第１柄部の第２端、１３０’…第１柄部の第２端、１３２…第１柄部の第２孔、２００…第２柄部、２００’…第２柄部、２１０…第２柄部の第１端、２１２…第２柄部の第１部分、２１４…第２柄部の第２部分、２１６…第２柄部の第１孔、２３０…第２柄部の第２端、２３０’…第２柄部の第２端、２３２…第２柄部の第２孔、３００…操作部、３００’…操作部、３００"…操作部、３１０…操作部の第１部分、３１０ａ…操作部の第１部分、３１０"…操作部の第１部分、３１１…第１部分の第１区域、３１２…第１区域の孔、３１２"…操作部の第１部分の孔、３１３…第１部分の第２区域、３１３ａ…第１部分の第２区域、３１４…第２区域の孔、３１４ａ…第２区域の孔、３１５…第１筒部、３１５’…第１筒部、３１６…第１筒部の管部、３１７…第１筒部の底部、３１７Ｃ…第１筒の底部の内側区域、３１７Ｐ…第１筒の底部の外側区域、３１８…底部の孔、３１９…第２筒部、３２０…操作部の第２部分、３２０"…操作部の第２部分、３２２…第２部分のツメ部、３２２"…第２部分のツメ部、３２５…第２部分の表面、３２６…第２部分の凸部、３２６ａ…凸部の第１部分、３２６ｂ…凸部の第２部分、３６０…操作部、３６０’…操作部、３７１…第１ワッシャー、３７２…第２ワッシャー、４００…連結部、４００’…連結部、４１０…ガスケット、４２０…ガスケット、４５０…固着部材、４５０’…固着部材、５００…第１ロッド、５１０…本体、５２０…縦方向リブ、５３０…第１ロッドの第１端、５３５…第１ロッドの第２端、５５０…第２ロッド、５６０…第２ロッドの第１端、５８０…カバーケース、５８２…仕切り板、６００…カバー、６００’…カバー、６２０…開口、６２２…カバーの孔、７００…固定部材、８０１…第１側の構成体、８０２…第２側の構成体、８０３…第３側の構成体、Ｃ…中軸線
【手続補正１７】
【補正対象書類名】実用新案登録請求の範囲
【補正対象項目名】全文
【補正方法】変更
【補正の内容】
【実用新案登録請求の範囲】
【請求項１】
第１柄部と、第２柄部と、操作部と、連結部と、第１ロッドとを含む連結部材であって、
該第１柄部が、第１端と第２端を含み、該第１端が第１孔を備え、
該第２柄部が、第１端と第２端を含み、該第１端が第１孔を備え、
該操作部が、第１部分を含み、該第１部分が、第１区域と、該第１区域より低い第２区域を備え、該第１区域が孔を有し、
該連結部が、該第１区域の孔と、該第１柄部の該第１孔と、該第２柄部の該第１孔に穿通され、
該第１ロッドが、該操作部の該第２区域に連接される、
ことを特徴とする、連結部材。
【請求項２】
前記第１ロッドが本体と、該本体の径方向に沿って外側に向かって延伸された複数の縦方向リブを備えていることを特徴とする、請求項１に記載の連結部材。
【請求項３】
前記第２区域が第１筒部を備え、該第１筒部と該第１ロッドの第１端が連接されることを特徴とする、請求項１に記載の連結部材。
【請求項４】
前記第１筒部が管部と、該管部の一端に設けられた底部を備え、該管部が該第１ロッドの該第１端に被着され、該底部と該第２区域が連接されることを特徴とする、請求項３に記載の連結部材。
【請求項５】
前記連結部材を展開させると、該第１筒部の位置が該第１柄部の第２端より低く、該連結部材を折り畳むと、該第１筒部の位置が該第１柄部の第２端より高いことを特徴とする、請求項３に記載の連結部材。
【請求項６】
前記操作部が、該第１部分に連接された第２部分を備え、該第２部分と該第１部分の挟角が１８０度より小さいことを特徴とする、請求項１に記載の連結部材。
【請求項７】
前記第１ロッドの延伸方向が該操作部の該第２部分と相反することを特徴とする、請求項６に記載の連結部材。
【請求項８】
前記第２部分が、該第２部分の一表面から遠ざかって延伸された２つの凸部を含み、該連結部材を展開させるとき、該第１柄部と該第２柄部が該連結部の周囲を旋回して、該２つの凸部に接触すると旋回が停止し、該連結部材を折り畳むとき、該第１柄部と該第２柄部が該連結部の周囲を旋回して、該２つの凸部に接触すると旋回が停止することを特徴とする、請求項６に記載の連結部材。
【請求項９】
さらに前記操作部の該第２区域に連接された第２ロッドを含むことを特徴とする、請求項１に記載の連結部材。
【請求項１０】
さらに前記第１ロッドと該第２ロッドの外側に被着されたカバーケースを含むことを特徴とする、請求項９に記載の連結部材。
【請求項１１】
前記カバーケースが内部に該第１ロッドと該第２ロッドの間に配置された仕切り板を備えていることを特徴とする、請求項１０に記載の連結部材。
【請求項１２】
前記第２区域が第２筒部を備え、そのうち、該第２筒部と該第２ロッドの第１端が連接されることを特徴とする、請求項９に記載の連結部材。
【請求項１３】
前記第２筒部が管部と、該管部の一端に設けられた底部を備え、該管部が該第２ロッドの該第１端に被着され、該底部と該第２区域が連接されることを特徴とする、請求項１２に記載の連結部材。
【請求項１４】
折り畳み構造体であって、第１側の構成体と、第２側の構成体と、請求項１に記載の連結部材を含み、そのうち、該第１柄部の第２端と該折り畳み構造体における該第１側の構成体が相互に連接され、該第２柄部の第２端と該折り畳み構造体における該第２側の構成体が相互に連接されることを特徴とする、折り畳み構造体。
【請求項１５】
さらに請求項１に記載の連結部材を含み、そのうち、該第１柄部の第２端と該折り畳み構造体における該第２側の構成体が相互に連接され、該第２柄部の第２端と該折り畳み構造体における該第１側の構成体が相互に連接され、該第１ロッドが２つの該連結部材の間に配置されることを特徴とする、請求項１４に記載の折り畳み構造体。
【請求項１６】
第１柄部と、第２柄部と、操作部と、第１筒部と、連結部と、第１ロッドとを含む連結部材であって、
該第１柄部が、第１端と第２端を含み、該第１端が第１孔を備え、
該第２柄部が、第１端と第２端を含み、該第１端が第１孔を備え、
該操作部が第１部分を含み、該第１部分が孔を備え、
該第１筒部が管部と、該管部の一端に設けられた底部を備え、該第１筒部と該第１部分が連接され、
該連結部が、該第１部分の孔と、該第１柄部の該第１孔と、該第２柄部の該第１孔に穿通され、
該第１ロッドの該第１端に該管部が被着され、該連結部と該第１ロッドの間に該第１筒部の径方向に沿って間隔がある、
ことを特徴とする、連結部材。
【請求項１７】
折り畳み構造体であって、
第１側の構成体と、
第２側の構成体と、
第３側の構成体と、
請求項１６に記載の連結部材と
を含み、そのうち、該第３側の構成体の第１端と該第１側の構成体が連接され、該第３側の構成体の第２端と該第２側の構成体が連接され、該連結部材の該第１柄部の第２端と該折り畳み構造体における該第１側の構成体が相互に連接され、該第２柄部の第２端と該折り畳み構造体における該第３側の構成体が相互に連接されることを特徴とする、折り畳み構造体。
【請求項１８】
さらに、請求項１６に記載の連結部材を含み、そのうち、該第１柄部の第２端と該折り畳み構造体における該第３側の構成体が相互に連接され、該第２柄部の第２端と該折り畳み構造体における該第１側の構成体が相互に連接されることを特徴とする、請求項１７に記載の折り畳み構造体。
【請求項１９】
折り畳み構造体であって、
第１側の構成体と、
第２側の構成体と、
請求項１６に記載の連結部材と
を含み、そのうち、該第１柄部の第２端と該折り畳み構造体における該第１側の構成体が相互に連接され、該第２柄部の第２端と該折り畳み構造体における該第２側の構成体が相互に連接されることを特徴とする、折り畳み構造体。